(57)【要約】【課題】遊技盤上での遊技球の動作を変化に富んだものとする新たな構成を提供し、さらに遊技者への新たな利得の機会を発生し得る構成を提供するとともに、図柄表示装置前部の有用性を向上させ得るパチンコ遊技機を提供する。【解決手段】図柄表示装置６を備えたセンターケース４の前面側に配設される可変表示部（板状揺動表示部）４１と、球流下導通路３６，３６内に臨んで遊技球との衝接により回動力が付与される球衝接部４２とを備える可動表示体４０を、センターケース４に軸支した。【選択図】　図４
2004065616.tif 000002
【特許請求の範囲】
【請求項１】
図柄表示装置を配設したセンターケースに、該図柄表示装置の周部で、上方の球流入口に流入した遊技球を、所定位置へ放出案内する球流下導通路を配設したパチンコ遊技機において、
センターケースの前面側に配設される可変表示部と、球流下導通路内に臨んで遊技球との衝接により回動力が付与される球衝接部とを一体的に備える可動表示体を、センターケースに軸支したことを特徴とするパチンコ遊技機。
【請求項２】
球流下導通路の前壁の一部を構成する板状揺動表示部と、該板状揺動表示部の裏面に突成されて球流下導通路内に臨んで、該球流下導通路を流下する遊技球との衝接により回動力が付与される球衝接部とを一体的に備える可動表示体を、板状可変表示部の上縁で、センターケースに左右方向で軸支したことを特徴とする請求項１記載のパチンコ遊技機。
【請求項３】
センターケースの前面側に表出する回転表示部と、支軸の周囲に径方向へ突成されて回動軌跡が球流下導通路内にはみ出るように配置され、該球流下導通路を流下する遊技球との衝接により回動力が付与される球衝接部とを一体的に備える可動表示体を、センターケースに前後方向で軸支したことを特徴とする請求項１記載のパチンコ遊技機。
【請求項４】
各外周辺面を表示面とする正多角形の回動表示部と、支軸の周囲に径方向へ突成されて回動軌跡が球流下導通路内にはみ出るように配置され、該球流下導通路を流下する遊技球との衝接により回動力が付与される球衝接部とを一体的に備える可動表示体を、外周辺面が球流下導通路の前壁に形成した窓孔から露出するようにして、センターケースに左右方向で軸支するとともに、遊技球の通過毎に、外周辺面の間隔角度だけ回転して各外周辺面が窓孔に順次露出するように、可動表示体を回動規制する規制手段を備えたことを特徴とする請求項１記載のパチンコ遊技機。
【請求項５】
規制手段を、外周辺面の数と一致する複数の爪部が等角度間隔で設けられ、かつ各爪部を球衝接突部とするラチエットを支軸に枢着するとともに、爪部間に一端をセンタケースに固着した板バネの他端を弾接して、遊技球の通過毎に爪部の間隔角度だけ回動するようにして構成した請求項４記載のパチンコ遊技機。
【請求項６】
複数の可動表示体を、各可変表示部が上下方向に連続するように配設したことを特徴とする請求項１乃至請求項５のいずれかに記載のパチンコ遊技機。
【発明の詳細な説明】
【０００１】
【産業上の利用分野】
本発明は、パチンコ遊技機のセンターケースに関するものである。
【０００２】
【従来の技術】
図柄を変動表示する図柄表示装置と、球通過を検知する図柄始動領域とを遊技盤面に備え、図柄始動領域への球通過を契機として、図柄表示装置の表示図柄を変動させた後に確定表示するようにし、その確定図柄態様が所定の当り図柄態様である場合に、遊技者に利得をもたらす特別遊技作動を発生させるようにしたパチンコ遊技機は、種々提案されている。これらは、いわゆる第１種パチンコ遊技機及び第３種パチンコ遊技機がある。
【０００３】
ここで、第１種パチンコ遊技機は、図柄を変動表示する特別図柄表示装置（図柄表示装置）と、球通過を検知する特別始動領域と、特別始動領域への球通過に起因して特別図柄表示装置の特別図柄を変動表示させて、各図柄を確定表示する図柄制御手段と、開閉制御される可変入賞口を備え、特別図柄表示装置に確定表示された各図柄の組合せが所定の当り図柄態様である場合に、可変入賞口の開放と、可変入賞口の所定制限時間の経過又は該所定制限時間内での規定個数の入賞満了による可変入賞口の閉鎖とを順次生じてなる開閉ラウンドを複数回繰り返してなる特別遊技作動を実行するようにしてなるものである。
【０００４】
また、第３種パチンコ遊技機は、図柄を変動表示する図柄表示装置と、球通過を検知する図柄始動領域と、開口を開閉制御してその内部の特別作動領域へ球通過可能な状態と不可能な状態とに変換する普通電動役物と、開閉制御される可変入賞口とを備え、球通過に伴って該可変入賞口を開放する特定領域への流入制御を行う役物とを備え、図柄始動領域への球通過を契機として、図柄表示装置の図柄を変動させた後に確定表示するようにし、その確定図柄態様が所定の当り図柄態様である場合に、普通電動役物を開放制御し、その特別作動領域への球通過に伴って特別遊技作動が実行され、かつ該特別遊技作動は、役物が駆動して特定領域への球通過が可能となり、かつ該球通過ごとに、可変入賞口の開放と、閉鎖とを生じてなる開閉ラウンドを複数回繰り返してなるものである。
【０００５】
【発明が解決しようとする課題】
上述した第１種パチンコ遊技及び第３種パチンコ遊技機にあっては、図柄表示装置を配設したセンターケースに、該図柄表示装置の周部で、上方の球流入口に流入した遊技球を、始動領域に入り易い所定位置へ放出案内するワープ通路と呼ばれる球流下導通路が配設されている。ところで、従来のこの球流下導通路は、遊技者が視認できない不透明な部材で形成されているものが多く、球流下導通路に入球した遊技球は一旦遊技者の視線から遮断されてから排出される。このため、遊技者に球流下導通路内の遊技球の流下に対する不信感（不正改造などによる遊技球の誘導・回収）を与えている。また、遊技者の視線から遮断されている間は、パチンコ機本来の醍醐味である遊技球の流下状態を楽しむことができず、遊技の空白を生ずるという問題もある。
【０００６】
一方、これを解決するために、球流下導通路内の遊技球の流下を遊技者に認識させるため、球流下導通路の入口に球検出スイッチを設け、その検出に基づいて球流下導通路に沿って設けられたＬＥＤなどのランプを順次点灯させるようにして、球流下導通路内の遊技球の流下を示唆するような遊技機も提案されている。しかし、かかる構成にあっては、実際の遊技球の流下と順次点灯するＬＥＤとは因果関係がなく、単なる演出であって、このためかえって遊技者に不信感を与えてしまうおそれがある。
【０００７】
さらに、センターケースに設けられた球流下導通路からの遊技球は、通常一旦センターケース下部に設けたステージ状の転動棚面上に放出され、該転動棚面の中央に設けた球案内路を介して、始動領域上に放出される。ところで、従来にあっては、球流下導通路はほぼ垂直状をなし、自然落下により、勢いよく高速で転動棚面上に排出され、このため、転動棚面上で左右の往復動を繰り返してから、中央の案内路に導入されることとなり、時間がかかり、かつ場合によっては、案内路に導入されないで、転動棚面から零れ落ちてしまう場合もある。
【０００８】
本発明は、図柄表示装置を備えたセンターケースにあって、かかる従来構成の問題点を解決するものであり、球流下導通路内の遊技球の流下状況を遊技者に確実に認識させることができるとともに、遊技球が球流下導通路を流下している間であっても、遊技者を楽しませることができ、かつ安定的に遊技球を転動棚面上に放出し得るパチンコ遊技機を提供することを目的とする。
【０００９】
【課題を解決するための手段】
本発明は、図柄表示装置を配設したセンターケースに、該図柄表示装置ケースの周部で、上方の球流入口に流入した遊技球を、所定位置へ放出案内する球流下導通路を配設したパチンコ遊技機において、センターケースの前面側に配設される可変表示部と、球流下導通路内に臨んで遊技球との衝接により回動力が付与される球衝接部とを備える可動表示体を、センターケースに軸支したことを特徴とするパチンコ遊技機である（請求項１）。
【００１０】
かかる構成にあっては、球流下導通路内で遊技球か流下すると、該遊技球が可動表示体の球衝接部に当接し、これにより可変表示部が、支軸を中心として回動することとなる。この可変表示部は、センターケースの前面に露出しているから、遊技者はその回動状態を視認でき、これにより遊技球の流下動作を確認できる。また、可変表示部の回転作動により、センターケース上で変化に富んだ作動が実現され、遊技盤面上の演出性が向上する。さらには、遊技球はその流下に伴い、可動表示体の球衝接部に当接して抵抗を受け、流下速度が緩和される。このため、センターケース下部に設けたステージ状の転動棚面上に放出される場合に、その勢いが適正となって、球案内路へ安定的に導入されることとなる。
【００１１】
かかる構成にあって、球流下導通路の前壁の一部を構成する板状揺動表示部と、該板状揺動表示部の裏面に突成されて球流下導通路内に臨んで、該球流下導通路を流下する遊技球との衝接により回動力が付与される球衝接部とを一体的に備える可動表示体を、板状可変表示部の上縁で、センターケースに左右方向で軸支した（請求項２）ものとすることができる。
【００１２】
この構成にあっては、球流下導通路内で遊技球か流下すると、板状揺動表示部の背部で遊技球が球衝接突部に当接し、これにより板状揺動表示部が、その上縁の支軸を中心として、前後方向に揺動する。而して、球流下導通路の前壁が前後に揺動するという、変化に富んだ作動がセンターケース上で発生することとなる。
【００１３】
また、センターケースの前面側に表出する回転表示部と、支軸の周囲に径方向へ突成されて回動軌跡が球流下導通路内にはみ出るように配置され、該球流下導通路を流下する遊技球との衝接により回動力が付与される球衝接部とを一体的に備える可動表示体を、センターケースに前後方向で軸支した構成（請求項３）が提案される。
【００１４】
この構成にあっては、球流下導通路内で遊技球か流下すると、球流下導通路に臨む球衝接突部に、該遊技球が当接し、これにより回転表示部が、その支軸を中心として回転する。而して、球流下導通路の前面で回転表示部が風車状の作動を呈するという、変化に富んだ作動がセンターケース上で発生することとなる。
【００１５】
さらにまた、各外周辺面を表示面とする正多角形の回動表示部と、支軸の周囲に径方向へ突成されて回動軌跡が球流下導通路内にはみ出るように配置され、該球流下導通路を流下する遊技球との衝接により回動力が付与される球衝接部とを一体的に備える可動表示体を、外周辺面が球流下導通路の前壁に形成した窓孔から露出するようにして、センターケースに左右方向で軸支するとともに、遊技球の通過毎に、外周辺面の間隔角度だけ回転して各外周辺面が窓孔に順次露出するように可動表示体を回動規制する規制手段を備えた構成（請求項４）が提案される。
【００１６】
かかる構成にあって、遊技球が球流下導通路を流下すると、球衝接突部と衝接し、回動表示部が回転する。この場合に、各外周辺面の間隔角度だけ回転する。これにより、種々の色彩や、図柄が付されて表示面となっている外周辺面が、前壁の窓孔から順次表出することとなる。このため、窓孔から表示される色彩等が順次変換することとなり、新たな演出効果を果たすこととなる。
【００１７】
かかる規制手段としては、外周辺面の数と一致する複数の爪部が等角度間隔で設けられ、かつ各爪部を球衝接突部とするラチエットを支軸に枢着するとともに、爪部間に一端をセンタケースに固着した板バネの他端を弾接して、遊技球の通過毎に爪部の間隔角度だけ回動するようにして構成（請求項５）が提案される。
この構成にあっては、可動表示体の回動は、板バネに抗してなされるものであるから、遊技球の受ける抵抗を充分なものとでき、遊技球の放出速度を低減できる。さらには、その放出速度を板バネの選定により調整することが可能となる。
【００１８】
上述した各構成にあって、複数の可動表示体を、各可変表示部が上下方向に連続するように配設することができる（請求項６）。これにより、各可動表示体が遊技球の通過に伴って、順次上方から変動することとなり、遊技球の流下を動線として把握できると共に、上下に沿った多様な変化を生じさせることができる。さらには、各可動表示体の表面に図柄を形成する場合にあって、その全体として一図形となるように図案化することにより、図形そのものが変動するような動的形態を実現することができる。
【００１９】
【発明の実施の形態】
いわゆる第１種パチンコ遊技機に本発明を適用した一実施例を説明する。
図１，２は、本発明が適用されるパチンコ遊技機の遊技盤１の正面図であって、中央レール３内の盤面中央には、センターケース４が配設され、該センターケース４内に液晶表示器、ＣＲＴ表示器、ドットマトリックスまたは７セグメント指示器等からなる特別図柄表示装置６が設けられる。この特別図柄表示装置６には三つの特別図柄Ａ，Ｂ，Ｃが表示される。この特別図柄Ａ，Ｂ，Ｃは、「０」〜「９」等の数字からなる図柄が表示される。
【００２０】
センターケース４の上部右側には４個のパイロットランプからなる始動記憶数表示装置８が設けられる。この始動記憶数表示装置８は、遊技制御手段に設けられた始動記憶装置（図示せず）に記憶された球数を表示する。さらにセンターケース４の上部には、普通図柄表示装置１０が配設される。この普通図柄表示装置１０は「０」〜「９」までの数字を表示し、この数字が奇数等所定の当り態様の場合には、後述する普通電動役物１５を開放する。この普通図柄表示装置１０としては、液晶表示器や一乃至複数個の７セグメント指示器等により構成される。さらに、始動記憶数表示装置８に隣接したセンターケース４の上部左側には、４個のパイロットランプからなる普通図柄始動記憶数表示装置１２が設けられ、前記普通図柄始動スイッチからの球検出信号が、上述した遊技制御手段の記憶装置の一部領域に記憶された場合に、その記憶数を表示する。
【００２１】
一方、センターケース４の両側には、普通図柄作動ゲート（普通図柄始動領域）１３，１３が設けられ、遊技球の通過により該普通図柄作動ゲート１３，１３に内蔵された普通始動スイッチ（図示せず）から球検出信号が発生すると、普通図柄表示装置１０が図柄変動する。
【００２２】
特別図柄表示装置６の直下位置には、内部を始動領域として、開閉翼片１６，１６により始動領域の開口度を変化させるようにした普通電動役物１５が配設されている。そして普通図柄表示装置１０の表示結果が、上述したような所定の当り状態の場合には、開閉翼片１６，１６が約０．２秒拡開して、特別図柄始動領域１４の開口度を拡開させ、球が入り易い状態となる。また、普通電動役物１５内には、光電スイッチ、リミットスイッチ等の特別図柄始動スイッチ（図示せず）が備えられ、該始動スイッチによる球通過検知に伴って、特別図柄表示装６の特別図柄Ａ，Ｂ，Ｃが変動表示し、所定の図柄を停止表示することとなる。
【００２３】
普通電動役物１５のさらに下方には、特定領域を有する可変入賞口２３を備え、開閉翼片２４をソレノイド（図示せず）により開閉制御することにより可変入賞口２３を開放状態と閉鎖状態のいずれかに変換する変動入賞装置２２が配設されている。そして、特別図柄表示装置６が所定の組み合わせで表示され、大当りとなると、開閉翼片２４が開いて、その開放状態で開閉翼片２４上面が案内作用を生じ、可変入賞口２３へ遊技球を案内すると共に、特定領域に遊技球が入ると、連続開放作動を生じて、遊技者に所定の利得が供される。
【００２４】
次に本発明の要部につき説明する。
センターケース４内で特別図柄表示装置６の下部には棚部２９が設けられ、その上面を遊技球が転動する転動棚面３０としている。この転動棚面３０はその左右が中央へ下降傾斜しており、その中央には、普通電動役物１５の直上に位置する球案内路３１ａが設けられる。さらに、転動棚面３０の背部にも、連通孔状の球案内路３１ｂの入口が臨み、転動棚面３０を前後で区分する区画壁３２により、次記する球流下導通路３６，３６から流下した球を、球案内路３１ａ，３１ｂのいずれかに導入するようにしている。また、球案内路３１ｂは、棚部２９に設けられて、転動棚面３０直下に位置する球流下口３３から、普通電動役物（特別始動領域）１５上に流下する。
【００２５】
一方、特別図柄表示装置６の周部には、伏コ字状の周枠７が配設され、その上部には球流入口３５が形成される。また周枠７の内部には、図２で示すように、Ｌ字状の球流下導通路３６，３６が形成され、その上部で、球流入口３５と連通する。この球流下導通路３６，３６の下端は転動棚面３０上に開口して球流出口３７，３７としている。すなわち、球流入口３５に入った遊技球は、左右いずれかの球流下導通路３６，３６に分岐して流下し、球流出口３７から、転動棚面３０上に供給される。そして、球案内路３１ａ，３１ｂを介して、普通電動役物１５の直上に供給される。従って、球流入口３５に入った遊技球は、普通電動役物１５への流入確率が向上することとなる。特に、普通電動役物１５が開放駆動している場合には、遊技球は開閉翼片１６，１６にほぼ確実に捕捉される。
かかる構成にあって、本発明は、球流下導通路３６，３６に、可動表示体を配設したことを特徴とするものである。
【００２６】
ここで、図３〜５は、第一実施形態を示す。
球流下導通路３６，３６の垂直状前壁３８の一部は、上下で四つの板状揺動表示部（可変表示部）４１が連続することにより構成される。すなわち、周枠７の両側の垂直部の前壁３８には、縦長の装着孔３９が形成され、該装着孔３９の両側縁に四つの可動表示体４０が、上下に連続して軸支されている。この可動表示体４０は、球流下導通路３６，３６の前壁の一部を構成する板状揺動表示部４１と、該板状揺動表示部４１の裏面に突成された断面三角状の球衝接突部４２とを備えてなり、板状揺動表示部４１の上縁に両側から支軸４３を突成してなる。そして、装着孔３９の両側縁に設けた軸受部に支軸４３を嵌合して、該可動表示体４０を揺動可能に垂下し、その状態で、球衝接突部４２を球流下導通路３６，３６内に臨ませるようにしている。これにより、各板状揺動表示部４１によりセンターケース４の前壁３８の一部が構成されることとなる。また、図３で示すように、板状揺動表示部４１の前面には、四枚の揺動表示部４１の上下に渡ってキャラクタ（ヘビ）等の図柄４４が表示されている。
【００２７】
かかる構成にあって、球流入口３５に入った遊技球が球流下導通路３６，３６を流下すると、順次各球衝接突部４２に衝接し、これにより可動表示体４０は前方への回動力を付与される。そして、各可動表示体４０は遊技球の流下に従って上方から順次揺動する。これにより、遊技者は、球流下導通路３６，３６内を視認不能であっても、該板状揺動表示部４１の前後方向の揺動によりその遊技球通過を確認することができる。この場合に、板状揺動表示部４１の表面に、種々の図柄４４を表示することにより、その作動をさらに興趣あるものとすることができる。例えば、図３にあっては、上下四枚の板状揺動表示部４１の前面に、図柄４４を表示するようにしており、順次前後方向に波のように揺れて、あたかもヘビが動いているかのような印象を与える。
【００２８】
このように、複数の可動表示体４１を、各板状揺動表示部（可変表示部）４１が上下方向に連続するように配設したものであるから、各板状揺動表示部４１が遊技球の通過に伴って、順次上方から変動することとなり、遊技球の流下を動線として把握できると共に、上下に沿った多様な変化を生じさせることができる。さらには、各板状揺動表示部４１を、その全体として一図形（例えばヘビ）となるように図案化したことにより、図形そのものが変動するような動的形態を実現することができる。
而して、球流下導通路３６，３６への遊技球の流下が、板状揺動表示部４１の作動により、検証され、遊技者の不安感が解消されることとなる。また、図柄４４の変化と相俟って、可動表示体４０の作動によりセンターケース４の前壁がダイナミックな作動を生じ、遊技の興趣が高まる。
【００２９】
また、球流下導通路３６を流下する遊技球は４回球衝突部４１に衝突するので、その抵抗を受けて、遊技球の流下速度が減速し、勢いよくセンターケース４の転動棚面３０上に排出されることがなくなる。すなわち、勢い余って転動棚面３０を長時間左右で往復移動したり、球案内路３１ａ，３１ｂを介することなく、転動棚面３０上から零れ落ちることがなくなる。
【００３０】
図６〜図８は、本発明の第二実施形態を示すものである。
かかる構成にあって、周枠７は、球流下導通路３６，３６の内側に可動表示体５０の作動空隙５６を形成し、該作動空隙５６に可動表示体５０を軸支するようにしたものである。ここで、可動表示体５０は、図７で示すように、風車形状をなし、円盤状の回転表示部（可変表示部）５１と、支軸５３の基部に、径方向へ等間隔で突成された複数の球衝接突部５２を備える。この可動表示体５０は回転表示部５１を前壁３８の前部に位置させて、作動空隙５６に支軸５３を遊転可能に嵌着して支持され、球衝接突部５２の回動軌跡を球流下導通路３６内にはみ出させている。
【００３１】
かかる構成にあって、球流入口３５に入った遊技球が球流下導通路３６，３６を流下すると、順次各可動表示体５０の球衝接突部５２に衝接し、これにより可動表示体５０は回動力を付与される。そして、各可動表示体５０の回転表示部５１は球の流下に従って上方から、風車のように順次回転する。これにより、遊技者は、球流下導通路３６，３６内を視認不能であっても、該回転表示部５１の回転によりその遊技球通過を確認することができる。すなわち、球流下導通路３６，３６への遊技球の流下が、回転表示部５１の作動により、検証され、遊技者の不安感が解消されることとなる。
【００３２】
この場合にあっても、回転表示部５１の表面に、種々の図柄５４を表示することにより、その回動に伴って、変化のある色彩模様が出現することとなり、その作動をさらに興趣あるものとすることができる。このように図柄５４の変化と相俟って、可動表示体５０の作動によりセンターケース４の前面が変化に満ちたダイナミックな作動を生じ、変化に富んだ作動がセンターケース上で発生することとなって遊技の興趣が高まる。
【００３３】
さらには、球流下導通路３６を流下する遊技球は３回球衝突部４１に衝突するので、その抵抗を受けて、遊技球の流下速度が減速し、勢いよくセンターケース４の転動棚面３０上に排出されることがなくなる。すなわち、勢い余って転動棚面３０を長時間左右で往復移動したり、球案内路３１ａ，３１ｂを介することなく、転動棚面３０上から零れ落ちることがなくなる。ここで、羽根形状の球衝突部４１は常に一定の位置で停止することはないので、遊技球が衝突する球衝突部４１の位置によって、遊技球が転動棚面３０に排出される速度が様々になる。従って、転動棚面３０上の遊技球の動きが不定となり、遊技者は意外性のある遊技を楽しむことができる。
【００３４】
図９〜図１１は、本発明の第三実施形態を示すものである。
かかる構成にあって、周枠７は、球流下導通路３６，３６の前側に可動表示体６０の作動空隙７０を形成し、該作動空隙７０に上下で夫々三個の可動表示体６０を左右方向で軸支するようにしている。また、球流下導通路３６，３６の前壁３８には、各可動表示体６０の配設位置に対応して、三つの矩形窓孔７１が上下に形成されている。
【００３５】
可動表示体６０は、各外周辺面６２を表示面とする正五角形の回動表示部（可変表示部）６１を備える。この各外周辺面６２には、夫々異なる色彩や模様が付される。また、外周辺面６２の数と一致する五つの爪部６４が等角度間隔で設けられ、かつ各爪部６４，６４間の谷部に湾曲凹面６５が形成されたラチエット　６３とを支軸６６に枢着して、回動表示部６１とラチエット　６３とを同軸状に結合してなり、側方へ支軸６６を突出している。また、五つの爪部６４を球衝接突部としている。
【００３６】
そして、作動空隙７０内に支軸６６を左右方向で保持して、球衝接突部となる爪部６４の回動軌跡が球流下導通路３６内にはみ出るように配置される。また、外周辺面６２を窓孔７１から露出するように配置される。
【００３７】
さらには、前壁３８の内面に、前記湾曲凹面６５の曲率と近似させた板バネ６７の一端を固定し、他端を可動表示体６０の上方から、湾曲凹面６５に接触させるようにしている。これにより、可動表示体６０を回動するためには、板バネ６７を湾曲凹面６５から一旦離脱させるための、回動力が付与される必要を生じ、球流下導通路３６に遊技球が流下して、爪部６４に当接することにより、その回動力が付与されるように、バネ圧を調整している。かかる板バネ６７のバネ圧により、慣性回動が阻止され、その遊技球通過ごとに３６０／５°（＝７２°）だけ回転することとなる。これにより、遊技球の流下毎に７２°宛、確動的に回転する。そして、外周辺面６２も、７２°の間隔角度で形成されているから、窓孔７１から露出する各外周辺面６２が、順次変換される。この場合に、可動表示体６０の板バネ６７による保持位置で、窓孔７１で露出する外周辺面６２は垂直状となるように設定される。
【００３８】
かかる実施形態にあって、遊技球が球流下導通路３６を流下すると、球流下導通路３６内に突出している爪部６４に衝接し、回動表示部６１が回転する。この場合に、各外周辺面の間隔角度７２°だけ回転する。これにより、種々の色彩や、図柄が付されて表示面となっている外周辺面６２が、前壁３８の窓孔７１から順次表出することとなる。このため、窓孔７１から表示される色彩等が順次変換することとなり、新たな演出効果を果たすこととなる。
【００３９】
また、この構成にあっては、可動表示体６０の回動は、板バネ６７のバネ圧に抗してなされるものであるから、遊技球の受ける抵抗を充分なものとすることができ、遊技球の放出速度を可及的に低減できる。このため、さらには、その放出速度を板バネの選定により調整することが可能となる。而して、遊技球は、センターケース４の転動棚面３０上に可及的静かに排出されることとなり、迅速な遊技球の排出が可能となる。
【００４０】
上述の各実施例は第１種パチンコ遊技機について説明したものであるが、その他、第３種パチンコ遊技機等、図柄表示装置を用いた構成に適用することができる。
【００４１】
【発明の効果】
本発明は、上述したように、図柄表示装置を備えたセンターケースの前面側に配設される可変表示部と、球流下導通路内に臨んで遊技球との衝接により回動力が付与される球衝接部とを備える可動表示体を、センターケースに軸支した（請求項１）から、球流下導通路内で遊技球か流下すると、該遊技球が可動表示体の球衝接部に当接し、これにより可変表示部が、支軸を中心として回動し、遊技者はその回動状態を視認することにより、遊技球の流下動作を確認できる。また、可変表示部の回転作動により、センターケース上でに変化に富んだ作動が実現され、遊技盤面上の演出性が向上する。さらには、遊技球はその流下に伴い、可動表示体の球衝接部に当接して抵抗を受け、流下速度が緩和され、センターケース下部に設けた転動棚面上に放出される場合に、その勢いが適正となって、球案内路へ安定的に導入されることとなる。
【００４２】
かかる構成にあって、可動表示体が、球流下導通路の前壁の一部を構成する板状揺動表示部と、該板状揺動表示部の裏面に突成されて球流下導通路内に臨んで、該球流下導通路を流下する遊技球との衝接により回動力が付与される球衝接部とを一体的に備える可動表示体を、板状可変表示部の上縁で、センターケースに左右方向で軸支した構成（請求項２）にあっては、球流下導通路内で遊技球か流下すると、板状揺動表示部の背部で該遊技球が球衝接突部に当接し、これにより板状揺動表示部が、その上縁の支軸を中心として、前後方向に揺動する。これにより球流下導通路の前壁が前後に揺動するという、変化に富んだ作動がセンターケース上で発生することとなる。
【００４３】
また、可動表示体が、センターケースの前面側に表出する回転表示部と、支軸の周囲に突成されて回動径を作動空隙内に臨ませ、該球流下導通路を流下する遊技球との衝接により回動力が付与される球衝接部とを一体的に備える可動表示体を、センターケースに前後方向で軸支した構成（請求項３）にあっては、球流下導通路内で遊技球か流下すると、球流下導通路に臨む球衝接突部に、該遊技球が当接し、これにより回転表示部が、その支軸を中心として回転する。これにより球流下導通路の前面で回転表示部が風車状の作動を呈するという、変化に富んだ作動がセンターケース上で発生することとなる。また、球衝突部は常に一定の位置で停止することはないので、遊技球が衝突する球衝突部の位置によって遊技球の流下速度が変化し、遊技球が転動棚面に排出される速度が変化して、意外性のある遊技を実現できる。
【００４４】
さらにまた、各外周辺面を表示面とする正多角形の回動表示部と、支軸の周囲に径方向へ突成されて回動軌跡が球流下導通路内にはみ出るように配置され、該球流下導通路を流下する遊技球との衝接により回動力が付与される球衝接部とを一体的に備える可動表示体を、外周辺面が球流下導通路の前壁に形成した窓孔から露出するようにして、センターケースに左右方向で軸支するとともに、遊技球の通過毎に、外周辺面の間隔角度だけ回転して各外周辺面が窓孔に順次露出するように可動表示体を回動規制する規制手段を備えた構成（請求項４）にあっては、遊技球が球流下導通路を流下すると、球衝接突部と衝接し、回動表示部が、各外周辺面の間隔角度だけ回転する。これにより、種々の色彩や、図柄が付されて表示面となっている外周辺面が、前壁の窓孔から順次表出することとなり、窓孔から表示される色彩等が順次変換することとなって、新たな演出効果を果たすこととなる。
【００４５】
かかる規制手段として、外周辺面の数と一致する複数の爪部が等角度間隔で設けられ、かつ各爪部を球衝接突部とするラチエットを支軸に枢着するとともに、爪部間に一端をセンタケースに固着した板バネの他端を弾接して、遊技球の通過毎に爪部の間隔角度だけ回動するようにして構成（請求項５）を適用した場合には、可動表示体の回動は、板バネに抗してなされるものであるから、遊技球の受ける抵抗を充分なものとでき、遊技球の放出速度を低減でき、さらには、その放出速度を板バネの選定により調整することが可能となる。
【００４６】
上述した各構成にあって、複数の可動表示体を、各可変表示部が上下方向に連続するように配設（請求項６）した場合には、各可動表示体が遊技球の通過に伴って、順次上方から変動することとなり、遊技球の流下を動線として把握できると共に、上下に沿った多様な変化を生じさせることができる。さらには、各可動表示体の表面に図柄を形成する場合にあって、その全体として一図形となるように図案化することにより、図形そのものが変動するような動的形態を実現することができる。
【図面の簡単な説明】
【図１】本発明の実施例に係るパチンコ遊技機の遊技盤１を示す正面図である。
【図２】センターケース４の球流下導通路３６，３６を示す横断面図である。
【図３】第一実施形態のセンターケース４を示す斜視図である。
【図４】可動表示体４０を裏面から視た斜視図である。
【図５】可動表示体４０の作動を示す球流下導通路３６，３６の縦断側面図である。
【図６】第二実施形態のセンターケース４を示す斜視図である。
【図７】可動表示体５０を裏面から視た斜視図である。
【図８】可動表示体５０の作動を示す球流下導通路３６，３６の横断側面図である。
【図９】第三実施形態のセンターケース４を示す斜視図である。
【図１０】可動表示体６０を裏面から視た斜視図である。
【図１１】可動表示６０の作動を示す球流下導通路３６，３６の縦断側面図である。
【符号の説明】
４　センターケース
６　特別図柄表示装置
１５　普通電動役物
３１ａ，３１ｂ　球案内路
３６，３６　球流下導通路
４０　可動表示体
４１　板状揺動表示部
４２　球衝接突部
４３　支軸
５０　可動表示体
５１　回転表示部
５２　球衝接突部
５３　支軸
６０　可動表示体
６１　回動表示部
６２　外周辺面
６３　ラチエット
６４　爪部（球衝接突部）
６６　支軸
６７　板バネ
７１　窓孔
【図１】
2004065616.tif 000003
【図２】
2004065616.tif 000004
【図３】
2004065616.tif 000005
【図４】
2004065616.tif 000006
【図５】
2004065616.tif 000007
【図６】
2004065616.tif 000008
【図７】
2004065616.tif 000009
【図８】
2004065616.tif 000010
【図９】
2004065616.tif 000011
【図１０】
2004065616.tif 000012
【図１１】
2004065616.tif 000013